(57)【要約】【課題】被計量物を定量化し、適正量の被計量物を取り出すことができる収容容器を提供する。【解決手段】収容容器1は、粉体又は液体である被計量物を計量する収容容器であって、被計量物が貯留され、下端に排出孔を有する貯留部と、前記貯留部の下に配置され、上下方向に延びる筒状に形成され、その上端が前記排出孔に接続され、その内部に前記排出孔から流入する被計量物が充填される計量部と、を備え、前記計量部に充填された被計量物を下方に落下させることで計量する。【選択図】図１
2015175843.tif 000002
【特許請求の範囲】
【請求項１】
粉体又は液体である被計量物を計量する収容容器であって、被計量物が貯留され、下端に排出孔を有する貯留部と、前記貯留部の下に配置され、上下方向に延びる筒状に形成され、その上端が前記排出孔に接続され、その内部に前記排出孔から流入する被計量物が充填される計量部と、を備え、前記計量部に充填された被計量物を下方に落下させることで計量する収容容器。
【請求項２】
前記計量部の上方に配置され、上下方向にスライド移動して、前記計量部に充填された被計量物を下方に落下させる押し出し部、を更に備え、前記計量部の下端には、前記押し出し部による圧力により開口し、当該圧力が無くなったときに閉口する蓋が設けられている請求項１に記載の収容容器。
【請求項３】
スライド移動して、前記計量部の上端と下端とを交互に塞ぐ摺り切り部と、を備える請求項１に記載の収容容器。
【発明の詳細な説明】
【技術分野】
【０００１】
この発明は、収容容器に関し、より詳しくは、粉末の内容物を収容する収容容器に関する。
【背景技術】
【０００２】
従来、収容容器のうち、金属または合成樹脂製の収容容器、特に合成樹脂製の化粧品・化学品・薬品等を収容する容器は、合成樹脂製又は金属製の容器本体と、合成樹脂製の蓋からなり、蓋は合成樹脂素材を材料として金型による成形によって形成されている。
【０００３】
例えば、特許文献１には、粉状化粧料を収容する容器の搬送時、手で持つ際の振動や傾きで粉状化粧料が不容易に飛散しない粉状化粧料容器が提案されている。
【先行技術文献】
【特許文献】
【０００４】
【特許文献１】特開２００８−２７２３０４号公報
【発明の概要】
【発明が解決しようとする課題】
【０００５】
しかしながら、特許文献１に記載された粉状化粧料容器は、受皿部が本体上層部に設けられているため、使用時に逆さにして振るなどしていた。そのため、収容容器内容物の抽出を定量化することができず、必要量以上の粉末が漏出してしまうなどの課題があった。
【０００６】
本発明は、被計量物を定量化し、適正量の被計量物を取り出すことができる収容容器を提供することを目的とする。
【課題を解決するための手段】
【０００７】
（１）粉体又は液体である被計量物を計量する収容容器であって、被計量物が貯留され、下端に排出孔を有する貯留部と、前記貯留部の下に配置され、上下方向に延びる筒状に形成され、その上端が前記排出孔に接続され、その内部に前記排出孔から流入する被計量物が充填される計量部と、を備え、前記計量部に充填された被計量物を下方に落下させることで計量する収容容器。
【０００８】
（１）の構成によれば、粉体又は液体である被計量物は貯留部に貯留され、貯留部下端には排出孔を有する。
さらに（１）の構成によれば貯留部の下方には、その上端が貯留部排出孔に接続、その内部に排出孔から流入する被計量物が定量充填される計量部が上下方向に延びる筒状に形成され、計量部に充填された被計量物を定量下方に落下させることができる。
これにより、被計量物を定量化し、適正量の被計量物を取り出すことができる収容容器を提供できる。
【０００９】
（２）前記計量部の上方に配置され、上下方向にスライド移動して、前記計量部に充填された被計量物を下方に落下させる押し出し部、を更に備え、前記計量部の下端には、前記押し出し部による圧力により開口し、当該圧力が無くなったときに閉口する蓋が設けられている（１）に記載の収容容器。
【００１０】
（２）の構成によれば、押し出し部は、計量部の上方に配置され、上下方向にスライド移動して、計量部に充填された被計量物を定量、下方に落下させることができる。
【００１１】
さらに（２）の構成によれば、計量部の下端には、押し出し部による圧力により開口し、当該圧力が無くなったときに閉口する弁の形状を成す蓋が設けられている。
【００１２】
（３）スライド移動して、前記計量部の上端と下端とを交互に塞ぐ摺り切り部と、を備える（１）に記載の収容容器。
【００１３】
（３）の構成によれば、計量部の上端と下端とを交互に塞ぐ摺り切り部は、スライド移動して計量部に充填された被計量物を定量摺り切って下方に落下させることができる。
【発明の効果】
【００１４】
本発明では、被計量物を定量化し、適正量の被計量物を取り出すことができる収容容器を提供できる。
【図面の簡単な説明】
【００１５】
【図１】本発明の第１実施形態に係る収容容器１の使用状態を示す図である。図１Ａは、計量部に被計量物が充填されている状態を示す図である。図１Ｂは、計量部に充填された被計量物が下方に落下している状態を示す図である。
【図２】本発明の実施形態に係る装粧用の刷毛が適用される収容容器を示す図である。
【図３】本発明の実施形態に係る装粧用の刷毛を示す図である。
【図４】本発明の第２実施形態に係る収容容器１Ａの使用状態を示す図である。図４Ａは、計量部に被計量物が充填されている状態を示す図である。図４Ｂは、計量部に充填された被計量物が下方に落下している状態を示す図である。
【図５】本発明の第３実施形態に係る収容容器１Ｂの使用状態を示す図である。図５Ａは、計量部に被計量物が充填されている状態を示す図である。図５Ｂは、計量部に充填された被計量物が下方に落下している状態を示す図である。
【図６】本発明の第４実施形態に係る収容容器１Ｃの使用状態を示す図である。図６Ａは、計量部に被計量物が充填されている状態を示す図である。図６Ｂは、計量部に充填された被計量物が下方に落下している状態を示す図である。
【発明を実施するための形態】
【００１６】
本発明の実施形態に係る収容容器の構成について説明する。
図１は、本発明の第１実施形態に係る収容容器１の使用状態を示す図である。図１Ａは、計量部に被計量物が充填されている状態を示す図である。図１Ｂは、計量部に充填された被計量物が下方に落下している状態を示す図である。
図１に示すように、収容容器１は、押し出しボタン２、押し出しボタン主軸３、押し出しピストン部４、貯留部５、計量部６、排出孔７、弁形状の蓋８及び装粧用刷毛収納部１０を備える。
【００１７】
収容容器１は、粉体又は液体である被計量物を計量する収容容器であって、貯留部５と、計量部６と、を備え、計量部６に充填された被計量物を下方に落下させることで計量する。
【００１８】
貯留部５は、被計量物が貯留され、下端に排出孔７を有する。
貯留部５は、上方に着脱自在の蓋を有する。これにより、貯留部５内に充填された被計量物を使い切ると、被計量物を再充填することが可能、繰り返し収容容器１を利用できる。
【００１９】
計量部６は、貯留部５の下に配置され、上下方向に延びる筒状に形成され、その上端が排出孔７に接続され、その内部に排出孔７から流入する被計量物が充填される。
【００２０】
計量部６は、被計量物と同一側の極性に静電気が帯電する物質で形成するのが好ましい。
これにより、被計量物が計量部６を通過する過程で、静電気の同極反発を利用して被計量物の定量抽出の精度をさらに高めることができる。
【００２１】
収容容器１の貯留部５をじょうご型にすることで、被計量物は重力方向へ落下するため、収容容器１を傾ける、逆さにして振るなどすることなく貯留部５の被計量物を全量使い切ることができる。
【００２２】
図２は、本発明の実施形態に係る装粧用の刷毛が適用される収容容器を示す図である。
図２の収容容器１の装粧用刷毛収納部１０には、装粧用刷毛本体１００が適用される。
【００２３】
図３は、本発明の実施形態に係る装粧用の刷毛を示す図である。
図３の装粧用刷毛本体１００の上方には刷毛部１０１があり、刷毛部１０１に付属する、刷毛土台１０２の下方には被計量物取り皿部１０３が設けられる。これにより刷毛部１０１に付着した被計量物を取り皿部１０３で取りなおし、刷毛部１０１になじませることができる。
【００２４】
このように、収容容器１は、装粧用の刷毛本体１００を収容容器下方部１０に内蔵することで、計量部６から抽出された内容物を定量付着させることができる。これにより当該収容容器１の使用工程を簡略化することができる。
【００２５】
なお、装粧用刷毛本体１００、刷毛部１０１、刷毛土台１０２及び被計量物取り皿部１０３は、収容容器１の他に、収容容器１Ａ、収容容器１Ｂ、収容容器１Ｃにも同様に適用することができる。
【００２６】
装粧用刷毛本体１００の上方に位置する、刷毛部１０１の素材としては、柔軟性が高く、プラス極またはマイナス極に帯電しやすい素材を用いることができる。計量部６から落下してきた被計量物は、静電気吸着により、刷毛部１０１への吸着性を高めることができる。
【００２７】
本発明の第１実施形態は、計量部６の上方に配置され、上下方向にスライド移動して、前記計量部６に充填された被計量物を下方に落下させる押し出し部、を更に備える。
計量部６の下端には、押し出し部による圧力により開口し、当該圧力が無くなったときに閉口する蓋８が設けられている。
収容容器１は、押し出し部として、押し出しボタン２、押し出しボタン主軸３及び押し出しピストン部４を備える。
【００２８】
図１の押し出しピストン部４は、計量部６の上方に配置され、上下方向にスライド移動する。ピストン部４は、押し出しボタン２と押し出しボタン主軸３からの押し出し圧力により、計量部６に圧着、通過して、計量部６に充填された被計量物を下方に落下させ、定量の粉体または液体等を抽出することができる。
【００２９】
ピストン部４の素材としては、プラス極またはマイナス極に帯電しやすい素材を用いることができる。
【００３０】
ピストン部４が、上下方向にスライド移動する際の静電気の同極反発により、ピストン部４の上方に位置する貯留部５内の被計量物を遮断、漏出を防ぎ、被計量物の定量抽出の精度をさらに高めることができる。
【００３１】
図１の計量部６の下端に設けられた弁の形状をした蓋８は、前記押し出し部による圧力により開口し、当該圧力が無くなったときに閉口する。弁の形状をした蓋８の素材としては、柔軟性の高い素材を用いることができる。
【００３２】
図４は、本発明の第２実施形態に係る収容容器１Ａの使用状態を示す図である。図４Ａは計量部に被計量物が充填されている状態を示す図である。図４Ｂは、計量部に充填された被計量物が下方に落下している状態を示す図である。
第２実施形態に係る収容容器１Ａは、第１実施形態の収容容器１とは、押し出しボタン主
軸３、押し出しピストン部４の代わりに、押し出し部として、押し出しスポイド袋部１１
及びスポイド先端部１２を備える点が異なる。
【００３３】
押し出しスポイド袋部１１とスポイド先端部１２は、計量部６の上方に配置され、上下方向にスライド移動する。スポイド先端部１２は、押し出しボタン２とスポイド袋部１１からの押し出し圧力により計量部６に圧着、スポイド袋部１１から空気が押し出され、計量部６に充填された被計量物を下方に落下させ、定量の粉体または液体等を抽出することができる。
【００３４】
スポイド袋部１１は、空気が押し出されるとスポイド袋部１１に設けられた微細な孔により再び空気を蓄えることができる。
【００３５】
スポイド袋部１１とスポイド先端部１２の素材としては、柔軟性が高く、プラス極またはマイナス極に帯電しやすい素材を用いることができる。
【００３６】
スポイド先端部１２が上下方向にスライド移動する際の静電気の同極反発により、スポイド先端部１２の上方に位置する貯留部５内の被計量物を遮断、漏出を防ぎ、被計量物の定量抽出の精度をさらに高めることができる。
【００３７】
図５は、本発明の第３実施形態に係る収容容器１Ｂの使用状態を示す図である。図５Ａは、計量部に被計量物が充填されている状態を示す図である。図５Ｂは、計量部に充填された被計量物が下方に落下している状態を示す図である。
【００３８】
第３実施形態に係る収容容器１Ｂは、第１実施形態の収容容器１とは、押し出しボタン２、押し出しボタン主軸３、押し出しピストン部４、弁形状の蓋８の代わりに、回転部天板２０、回転部天板指あて部２０Ａ、回転部主軸２１、回転スライド板（貯留部摺り切り用）２２Ａ、回転スライド板開口孔（貯留部摺り切り用）２２Ｂ、回転スライド板閉口孔（貯留部摺り切り用）２２Ｃ、回転スライド板（計量部摺り切り用）２３Ａ、回転スライド板開口孔（計量部摺り切り用）２３Ｂ、回転スライド板閉口孔（計量部摺り切り用）２３Ｃを備える点が異なる。
本発明の第３実施形態は、スライド移動して、計量部６の上端と下端とを交互に塞ぐ摺り切り部としてのと、回転部天板２０、回転部主軸２１、回転スライド板（貯留部摺り切り用）２２Ａ及び回転スライド板（計量部摺り切り用）２３Ａを備える。
【００３９】
回転部天板２０は、その表面に回転部天板指あて部２０Ａを備える。
【００４０】
回転部主軸２１は、回転部天板２０に付属し、連結する。
【００４１】
回転スライド板（貯留部摺り切り用）２２Ａは、回転スライド板開口孔（貯留部摺り切り用）２２Ｂ、回転スライド板閉口孔（貯留部摺り切り用）２２Ｃを備え、回転部主軸２１に連結、連動して回転する。
【００４２】
回転スライド板（計量部摺り切り用）２３Ａは、回転スライド板開口孔（計量部摺り切り用）２３Ｂ、回転スライド板閉口孔（計量部摺り切り用）２３Ｃを備え、回転部主軸２１に連結、連動して回転する。
【００４３】
図５の回転部天板指あて部２０Ａに指をあて、回転部天板２０とこれに連結する、回転部主軸２１とを回転することで、図５の排出孔７に内蔵された切り抜き孔を備える摺り切り回転スライド板２２Ａと、計量部６に内蔵された切り抜き孔を備える摺り切り回転スライド板２３Ａとが連動して回転する。回転スライド板２２Ａの開口孔２２Ｂと閉口孔２２Ｃ、回転スライド板２３Ａの開口孔２３Ｂと閉口孔２３Ｃとが交互に開閉し、計量部６に充填された被計量物を下方に落下させ、定量の粉体または液体等を抽出することができる。
【００４４】
図５の切り抜き孔を備えた摺り切り回転スライド板は、１~複数枚内蔵することができ、切り抜き孔の形状は円形・四角形等、切り抜き孔の数も１~複数ヶ所設けることができる。
【００４５】
回転スライド板（貯留部摺り切り用）２２Ａの素材としては、プラス極またはマイナス極に帯電しやすい素材を用いることができる。
【００４６】
回転スライド板（貯留部摺り切り用）２２Ａが回転する際の静電気の同極反発により、回転スライド板（貯留部摺り切り用）２２Ａの上方に位置する貯留部５内の被計量物を遮断、漏出を防ぎ、被計量物の定量抽出の精度をさらに高めることができる。
【００４７】
本発明の第４実施形態は、スライド移動して、計量部の上端と下端とを交互に塞ぐ摺り切り部と、を備える。
【００４８】
図６は、本発明の第４実施形態に係る収容容器１Ｃの使用状態を示す図である。図６Ａ
は、計量部に被計量物が充填されている状態を示す図である。図６Ｂは、計量部に充填され被計量物が下方に落下している状態を示す図である。
【００４９】
第４実施形態に係る収容容器１Ｃは、第１実施形態の収容容器１とは、押し出しボタン２、押し出しボタン主軸３、押し出しピストン部４、弁形状の蓋８の代わりに、水平スライド部天板３０、水平スライド部天板指あて部３０Ａ、水平固定板（貯留部摺り切り用）３１Ａ、水平固定板開口孔（貯留部摺り切り用）３１Ｂ、水平固定板閉口孔（貯留部摺り切り用）３１Ｃ、水平スライド部本体３２Ａ、水平スライド部本体接続板３２Ｂ、水平スライド板（計量部摺り切り用）３２Ｃ、水平スライド板はめ込みレール３２Ｄ、計量部摺り切り孔３３、装粧用刷毛収納部との接続板３４を備える点が異なる。
本発明の第４実施形態は、スライド移動して、計量部６の上端と下端とを交互に塞ぐ摺り切り部としてのと、水平スライド部天板３０、水平固定板（貯留部摺り切り用）３１Ａ、水平スライド部本体３２Ａ、水平スライド部本体接続板３２Ｂ、水平スライド板（計量部摺り切り用）３２Ｃ及び水平スライド板はめ込みレール３２Ｄ、を備える。
【００５０】
水平スライド部天板３０は、その表面に水平スライド部天板指あて部３０Ａを備える。
【００５１】
水平固定板（貯留部摺り切り用）３１Ａは、水平固定板開口孔３１Ｂと、水平固定板閉口孔３１Ｃとを備え、計量部６の上方に水平方向に固定されている。
【００５２】
水平スライド部本体３２Ａは、上方に水平スライド部天板３０を備える。
【００５３】
水平スライド部本体接続板３２Ｂは、水平スライド部本体３２Ａに付属し、連結する。
【００５４】
水平スライド板（計量部摺り切り用）３２Ｃは、切り抜き孔をもたない摺り切り水平スライド板で、水平スライド部本体３２Ａと水平スライド部本体接続板３２Ｂとに付属し、連結する。
【００５５】
水平スライド板はめ込みレール３２Ｄは、水平スライド板（計量部摺り切り用）３２Ｃと係合する。
【００５６】
計量部摺り切り孔３３は、計量部６の下端部に位置する。水平スライド板はめ込みレール３２Ｄと係合する水平スライド板（計量部摺り切り用）３２Ｃが、水平方向にスライドすることで、計量部摺り切り孔３３を開閉する。
【００５７】
装粧用刷毛収納部との接続板３４は、装粧用刷毛収納部１０の上方に設けられ、その表面には、水平スライド板はめ込みレール３２Ｄが設けられている。
【００５８】
図６の水平スライド部天板指あて部３０Ａに指をあて、水平スライド部天板３０を水平方向にスライドすることで、水平スライド部本体３２Ａとこれに付属し連結する、水平ス
ライド部本体接続板３２Ｂ、水平スライド板（計量部摺り切り用）３２Ｃが連動して、水平スライド板はめ込みレール３２Ｄを水平方向にスライドする。
【００５９】
このとき図６の水平固定板３１Ａは収容容器１Ｃ本体の計量部６の上方に水平方向に固定されたままである。水平スライド部本体３２Ａとこれに付属し連結する、水平スライド部本体接続板３２Ｂ、水平スライド板（計量部摺り切り用）３２Ｃとが連動して、水平スライド板はめ込みレール３２Ｄを水平方向にスライドすることで、水平固定板開口孔３１Ｂと、水平固定板閉口孔３１Ｃとが排出孔７を開閉し、計量部６に充填された被計量物を下方に落下させ、計量部摺り切り孔３３から定量の粉または液体等を抽出することができる。
【００６０】
図６の水平スライド板、水平固定板は１~複数枚内蔵することができ、切り抜き孔の形状は円形・四角形等、切り抜き孔の数も１~複数ヶ所設けることができる。
【００６１】
水平固定板（貯留部摺り切り用）３１Ａと、水平スライド部本体３２Ａの素材としては、プラス極またはマイナス極に帯電しやすい素材を用いることができる。
【００６２】
水平スライド部本体３２Ａが水平固定板（貯留部摺り切り用）３１Ａの表面を水平方向にスライドする際の静電気の同極反発により、水平固定板（貯留部摺り切り用）３１Ａの上方に位置する貯留部５内の被計量物を遮断、漏出を防ぎ、被計量物の定量抽出の精度をさらに高めることができる。
【符号の説明】
【００６３】
１  収容容器
２  押し出しボタン
３  押し出しボタン主軸
４  押し出しピストン部
５  貯留部
６  計量部
７  排出孔  
８  弁形状の蓋
１０  装粧用刷毛収納部
１１  スポイド袋部
１２  スポイド先端部
２０  回転部天板
２０Ａ  回転部天板指あて部
２１  回転部主軸
２２Ａ  回転スライド板（貯留部摺り切り用）
２２Ｂ  回転スライド板開口孔（貯留部摺り切り用）
２２Ｃ  回転スライド板閉口孔（貯留部摺り切り用）
２３Ａ  回転スライド板（計量部摺り切り用）
２３Ｂ  回転スライド板開口孔（計量部摺り切り用）
２３Ｃ  回転スライド板閉口孔（計量部摺り切り用）
３０  水平スライド部天板
３０Ａ  水平スライド部天板指あて部
３１Ａ  水平固定板（貯留部摺り切り用）
３１Ｂ  水平固定板開口孔（貯留部摺り切り用）
３１Ｃ  水平固定板閉口孔（貯留部摺り切り用）
３２Ａ  水平スライド部本体
３２Ｂ  水平スライド部本体接続板
３２Ｃ  水平スライド板（計量部摺り切り用）
３２Ｄ  水平スライド板はめ込みレール
３３  計量部摺り切り孔
３４  装粧用刷毛収納部との接続板
１００  装粧用刷毛本体
１０１  刷毛部
１０２  刷毛土台
１０３  被計量物取り皿部
【図１】
2015175843.tif 000003
【図２】
2015175843.tif 000004
【図３】
2015175843.tif 000005
【図４】
2015175843.tif 000006
【図５】
2015175843.tif 000007
【図６】
2015175843.tif 000008